(57)【要約】【課題】設計の自由度を高める。【解決手段】コネクタは、第１コネクタと、第１コネクタの前面に開口する角筒状のフード部と、フード部に形成された第１ロック部と、前面を第１コネクタに向けた状態でフード部内に嵌入される第２コネクタと、第２コネクタに形成され、第１ロック部に引っ掛かることで第２コネクタをフード部に嵌入した状態に保持する第２ロック部とを備え、フード部内のうち第１ロック部よりも後方の領域に、フード部を構成する複数の壁部のうち互いに対向する２つの壁部に連なる補強壁が形成され、第２コネクタにおける第２ロック部よりも前方の領域に、第２コネクタがフード部に嵌入したときに補強壁を収容する収容溝が形成されている。【選択図】図６
2020155369.tif 000002
【特許請求の範囲】
【請求項１】
第１コネクタと、
前記第１コネクタに形成され、前記第１コネクタの前面に開口する角筒状のフード部と、
前記フード部に形成された第１ロック部と、
前面を前記第１コネクタに向けた状態で前記フード部内に嵌入される第２コネクタと、
前記第２コネクタに形成され、前記第１ロック部に引っ掛かることで前記第２コネクタを前記フード部に嵌入した状態に保持する第２ロック部とを備え、
前記フード部内のうち前記第１ロック部よりも後方の領域には、前記フード部を構成する複数の壁部のうち互いに対向する２つの前記壁部に連なる補強壁が形成され、
前記第２コネクタにおける前記第２ロック部よりも前方の領域には、前記第２コネクタが前記フード部に嵌入したときに前記補強壁を収容する収容溝が形成されているコネクタ。
【請求項２】
前記第１ロック部が、前記フード部に対する相対変位を規制された形態であり、
前記第２ロック部が弾性変位可能である請求項１に記載のコネクタ。
【請求項３】
前記第２コネクタは、
端子金具を収容する端子収容部と、
前記端子収容部の外面から前記収容溝に沿って後方へ延出した形態であって弾性変形可能な弾性アーム部を有しており、
前記弾性アーム部に前記第２ロック部が形成されている請求項２に記載のコネクタ。
【請求項４】
一対の前記弾性アーム部が前記収容溝を挟むように配され、
前記第２ロック部が前記一対の弾性アーム部を連結する形態である請求項３に記載のコネクタ。
【発明の詳細な説明】
【技術分野】
【０００１】
本開示は、コネクタに関するものである。
【背景技術】
【０００２】
特許文献１に記載された角筒状の本体部を有する基板用コネクタが開示されている。本体部は、仕切り板で仕切られた２つの接続孔を有する。２つの接続孔には、相手側コネクタの２つに分かれた先端部分が嵌入される。２つの接続孔を仕切る仕切り板は、角筒状の本体部の強度を高める機能を発揮し得る。
【先行技術文献】
【特許文献】
【０００３】
【特許文献１】特開２００９−１４０８３９号公報
【特許文献２】特開２００６−２２１９２６号公報
【特許文献３】特開２００７−０２６７６２号公報
【発明の概要】
【発明が解決しようとする課題】
【０００４】
上記基板用コネクタに形成されている仕切り板は、本体部の奥端から開口端にわたって形成されている。そのため、本体部に、基板用コネクタと相手側コネクタを嵌合状態に保持するためのロック部を形成しようとすると、ロック部の位置を仕切り板とは異なる位置に配置しなければならず、設定上の自由度が低いという問題がある。
【０００５】
本開示のコネクタは、上記のような事情に基づいて完成されたものであって、設計の自由度を高めることを目的とする。
【課題を解決するための手段】
【０００６】
本開示のコネクタは、
第１コネクタと、
前記第１コネクタに形成され、前記第１コネクタの前面に開口する角筒状のフード部と、
前記フード部に形成された第１ロック部と、
前面を前記第１コネクタに向けた状態で前記フード部内に嵌入される第２コネクタと、
前記第２コネクタに形成され、前記第１ロック部に引っ掛かることで前記第２コネクタを前記フード部に嵌入した状態に保持する第２ロック部とを備え、
前記フード部内のうち前記第１ロック部よりも後方の領域には、前記フード部を構成する複数の壁部のうち互いに対向する２つの前記壁部に連なる補強壁が形成され、
前記第２コネクタにおける前記第２ロック部よりも前方の領域には、前記第２コネクタが前記フード部に嵌入したときに前記補強壁を収容する収容溝が形成されている。
【発明の効果】
【０００７】
本開示のコネクタは、設計の自由度が高い。
【図面の簡単な説明】
【０００８】
【図１】実施例１のコネクタを構成する第１コネクタの斜視図である。
【図２】第１コネクタの正面図である。
【図３】第２コネクタの斜視図である。
【図４】第２コネクタの側断面図である。
【図５】第１コネクタと第２コネクタが嵌合した状態をあらわす側断面図である。
【図６】第１コネクタと第２コネクタが嵌合した状態をあらわす一部切欠平面図である。
【発明を実施するための形態】
【０００９】
［本開示の実施形態の説明］
最初に本開示の実施形態を列記して説明する。
本開示のコネクタは、
（１）第１コネクタと、
前記第１コネクタに形成され、前記第１コネクタの前面に開口する角筒状のフード部と、
前記フード部に形成された第１ロック部と、
前面を前記第１コネクタに向けた状態で前記フード部内に嵌入される第２コネクタと、
前記第２コネクタに形成され、前記第１ロック部に引っ掛かることで前記第２コネクタを前記フード部に嵌入した状態に保持する第２ロック部とを備え、
前記フード部内のうち前記第１ロック部よりも後方の領域には、前記フード部を構成する複数の壁部のうち互いに対向する２つの前記壁部に連なる補強壁が形成され、
前記第２コネクタにおける前記第２ロック部よりも前方の領域には、前記第２コネクタが前記フード部に嵌入したときに前記補強壁を収容する収容溝が形成されている。
【００１０】
本開示の構成によれば、補強壁の形成範囲が第１ロック部よりも後方の領域なので、第１ロック部の位置を設定する際に、補強壁との位置関係に起因する制約を受けることがない。また、収容溝の形成範囲は、第２コネクタにおける第２ロック部よりも前方の領域なので、第２ロック部の位置を設定する際に、収容溝との位置関係に起因する制約を受けることがない。したがって、本開示のコネクタは、設計の自由度が高い。
【００１１】
（２）前記第１ロック部が、前記フード部に対する相対変位を規制された形態であり、前記第２ロック部が弾性変位可能であることが好ましい。この構成によれば、第１ロック部を、狭小な形態にして、フード部の開口端に近い位置に配置することができる。これにより、フード部に対する第２コネクタの嵌入方向において、補強壁の形成範囲をフード部の前端に近い位置まで拡張できるので、補強壁の補強機能が向上する。
【００１２】
（３）（２）において、前記第２コネクタは、端子金具を収容する端子収容部と、前記端子収容部の外面から前記収容溝に沿って後方へ延出した形態であって弾性変形可能な弾性アーム部を有しており、前記弾性アーム部に前記第２ロック部が形成されていることが好ましい。この構成によれば、弾性アーム部が収容溝に沿うように配されているので、フード部に第２コネクタを嵌入したときに、弾性アーム部と補強壁が干渉することがない。弾性アーム部を収容溝よりも後方に配置する場合に比べると、第２コネクタの前後長を短くすることができる。
【００１３】
（４）（３）において、一対の前記弾性アーム部が前記収容溝を挟むように配され、前記第２ロック部が前記一対の弾性アーム部を連結する形態であることが好ましい。この構成によれば、フード部に第２コネクタを嵌入する過程では、一対の弾性アーム部が、補強壁により不正に変形しないようにガイドされるので、第２ロック部を第１ロック部に対して確実に引っ掛けることができる。
【００１４】
［本開示の実施形態の詳細］
［実施例１］
本開示のコネクタを具体化した実施例１を、図１〜図６を参照して説明する。コネクタは、第１コネクタ１０と第２コネクタ２０とを備えている。第１コネクタ１０と第２コネクタ２０は、双方の前面１０Ｆ，２０Ｆ同士を対向（正対）させた向きで接近させることにより、嵌合される。
【００１５】
本実施例１において、第１コネクタ１０の前後方向については、図１における斜め右下方向を前方と定義し、第２コネクタ２０の前後方向については、図３における斜め左下方向を前方と定義する。上下の方向については、図１〜５にあらわれる向きを、そのまま上方、下方と定義する。第１コネクタ１０の左右の方向については、図２にあらわれる向きを、そのまま左方、右方と定義する。
【００１６】
図１，２に示すように、第１コネクタ１０は、第１ハウジング１１（雄側ウジング）と、第１ハウジング１１に取り付けた複数の雄形の第１端子金具１９とを備えた雄側コネクタと称されるものである。第１端子金具１９は雄端子金具と称される。第１コネクタ１０は、回路基板（図示省略）に実装される基板用コネクタとしての機能を有している。
【００１７】
第１ハウジング１１は、合成樹脂製であり、端子保持部１２とフード部１３とを一体成形した単一部品である。端子保持部１２は、正面視形状が長辺を左右方向に向けた長方形をなす壁状をなしている。端子保持部１２には、Ｌ字形に屈曲された複数の第１端子金具１９が、圧入により前後方向に貫通した形態で取り付けられている。第１端子金具１９のうち前後方向に延びるハーネス接続部１９Ｈの前端部は、フード部１３内に収容されている。第１端子金具１９のうち上下方向に延びる基板接続部１９Ｐは、端子保持部１２の後方に露出している。
【００１８】
フード部１３は、４つの壁部（上壁部１４、下壁部１５及び左右一対の側壁部１６）によって構成されている。４つの壁部１４〜１６は、第１コネクタ１０と第２コネクタ２０の嵌合・離脱方向と平行をなす。上壁部１４には、上壁部１４を上下に貫通した形態の第１ロック部１７が形成されている。第１ロック部１７はフード部１３に対して相対変位不能である。第１ロック部１７は、前後方向（両コネクタ１０，２０の嵌合・離脱方向と平行な方向）においては、上壁部１４（フード部１３）の前端部に配されている。第１ロック部１７は、左右方向（両コネクタ１０，２０の嵌合・離脱方向と直交する方向）においては、上壁部１４（フード部１３）の中央部に配されている。
【００１９】
フード部１３には、上壁部１４の内面（下面）と下壁部１５の内面（上面）とに連なる形態の補強壁１８が形成されている。補強壁１８は、上壁部１４及び下壁部１５に対して直角な板状をなしている。補強壁１８の厚さ寸法（左右方向の寸法）は、第１ロック部１７の左右寸法よりも小さい。補強壁１８の壁面は、両コネクタ１０，２０の嵌合・離脱方向と平行である。補強壁１８の前後方向における形成範囲は、第１ロック部１７よりも後方（フード部１３における奥端側）の領域のみである。つまり、第１ロック部１７と補強壁１８は、前後方向（両コネクタ１０，２０の嵌合方向と平行な方向）において、部分的にも重ならずに、完全に異なる位置に配置されている。
【００２０】
補強壁１８は、左右方向（補強壁１８の壁面と直交する方向）において、フード部１３の中央位置に配されている。したがって、第１ロック部１７とフード部１３は、左右方向において同じ位置に配されている。換言すると、フード部１３を前方から（補強壁１８の壁面と平行に）視た正面視において、補強壁１８の上端部（一部）が第１ロック部１７と重なっている。
【００２１】
図３，４に示すように、第２コネクタ２０は、第２ハウジング２１（雌側ハウジング）と、複数の雌形の第２端子金具２８（請求項に記載の端子金具）とを備えた雌側コネクタと使用されるものである。第２端子金具２８は雌端子金具と称される。第１コネクタ１０と第２コネクタ２０が嵌合する過程で、第２ハウジング２１はフード部１３内に嵌入される。第２ハウジング２１は、合成樹脂製であり、上下寸法に比べて左右寸法が大きい横長のブロック状をなす端子収容部２２を有する。端子収容部２２内に複数の第２端子金具２８が収容されている。
【００２２】
端子収容部２２には、端子収容部２２の前面を後方へ凹ませた形態の収容溝２３が形成されている。収容溝２３は、端子収容部２２の前面において上下方向のスリット状に開口している。収容溝２３は、端子収容部２２の上面及び下面において前後方向のスリット状に開口している。収容溝２３は、左右方向（フード部１３に対する第２ハウジング２１の嵌入方向と直角な方向）において端子収容部２２（第２コネクタ２０）の中央位置に配されている。収容溝２３の溝幅（左右方向の寸法）は、補強壁１８の厚さ寸法と同じか、補強壁１８の厚さ寸法よりも僅かに大きい寸法である。
【００２３】
第２ハウジング２１は、端子収容部２２に一体に形成されたロックアーム２４を有する。ロックアーム２４は、左右一対の弾性アーム部２５と、第２ロック部２６と、操作部２７とを有している。一対の弾性アーム部２５は、端子収容部２２の外面（上面）における前端部から後方へ延出した形態である。一対の弾性アーム部２５は、左右方向において端子収容部２２の中央位置に配されている。端子収容部２２を上から視た平面視において、一対の弾性アーム部２５は、収容溝２３の開口縁のうち左右両側縁に沿うように配されている。
【００２４】
第２ロック部２６は、一対の弾性アーム部２５の後端部同士を連結した形態である。第２ロック部２６は、前後方向（フード部１３に対する第２コネクタ２０の嵌入方向と平行な方向）において、収容溝２３の後端（奥端）の後方に隣接するように配されている。換言すると、収容溝２３の前後方向における形成範囲は、第２ロック部２６よりも前方の領域のみである。第２ロック部２６は、弾性アーム部２５の上面（端子収容部２２の上面と対向する面とは反対側の面）よりも上方へ突出している。第２ロック部２６の幅寸法（左右方向の寸法）は、収容溝２３の溝幅寸法よりも大きく、ロックアーム２４のうち一対の弾性アーム部２５の形成領域の左右寸法（幅寸法）よりも小さい寸法である。操作部２７は、ロックアーム２４の後端部、即ち第２ロック部２６の後端に隣接するように配されている。
【００２５】
ロックアーム２４は、弾性アーム部２５の前端部を支点として上下方向（端子収容部２２の外面に対して接近・離間する方向）へ弾性変形し得るようになっている。ロックアーム２４の弾性変形に伴い、弾性アーム部２５と第２ロック部２６が上下方向へ弾性変位する。ロックアーム２４（弾性アーム部２５）の弾性変位方向は、フード部１３に対する第２コネクタ２０の嵌入方向と直交する方向である。ロックアーム２４の弾性変位方向は、一対の弾性アーム部２５の並び方向（一対の弾性アーム部２５が離間する方向）と直交する方向である。
【００２６】
第１コネクタ１０と第２コネクタ２０を嵌合する際には、第２ハウジング２１を、フード部１３に対し正対させた向きを保ちながら嵌入する。第２ハウジング２１（第２コネクタ２０）がフード部１３に嵌入する過程では、補強壁１８の前端縁部が、収容溝２３の前端部と一対の弾性アーム部２５の間に進入する。補強壁１８が収容溝２３と弾性アーム部２５の間に進入した後、第２ロック部２６がフード部１３の上壁部１４の前端部と干渉することにより、ロックアーム２４が下方（端子収容部２２に接近する方向）へ弾性変位する。
【００２７】
この状態から、フード部１３に対する第２ハウジング２１の嵌入が更に進んで、両コネクタ１０，２０が正規の嵌合状態に至ると、第２ロック部２６が上壁部１４との干渉から解放されるので、ロックアーム２４が上方へ弾性復帰する。ロックアーム２４の弾性復帰に伴い、図５に示すように、第２ロック部２６が、第１ロック部１７に嵌入して引っ掛かった状態となる。第１ロック部１７と第２ロック部２６の引っ掛かりにより、両コネクタ１０，２０が正規の嵌合状態にロックされる。また、図６に示すように、収容溝２３内に補強壁１８が深く嵌入され、一対の弾性アーム部２５が補強壁１８を左右から挟むように位置する。
【００２８】
嵌合状態の両コネクタ１０，２０を離脱させる際には、フード部１３の外部に露出している操作部２７を押し操作してロックアーム２４を下方へ弾性変位させる。操作部２７を押し操作することにより、第２ロック部２６が第１ロック部１７から解離して両コネクタ１０，２０のロック状態が解放される。この後は、ロック解除状態を保ったままで、両コネクタ１０，２０を引き離せばよい。
【００２９】
本実施例１のコネクタは、第１コネクタ１０と第２コネクタ２０を有する。第１コネクタ１０には、第１コネクタ１０の前面１０Ｆに開口する角筒状のフード部１３が形成されている。フード部１３の上壁部１４には第１ロック部１７が形成されている。第２コネクタ２０は、第２コネクタ２０の前面２０Ｆを第１コネクタ１０に向けた状態で、フード部１３内に嵌入される。第２コネクタ２０には第２ロック部２６が形成されている。第２ロック部２６は、第１ロック部１７に引っ掛かることにより、第２コネクタ２０がフード部１３に嵌入されて両コネクタ１０，２０が正規嵌合した状態に保持する。
【００３０】
フード部１３内のうち第１ロック部１７よりも後方の領域には、補強壁１８が形成されている。補強壁１８は、フード部１３を構成する複数の壁部１４〜１６のうち互いに対向する２つの壁部（上壁部１４と下壁部１５）に連なっている。換言すると、補強壁１８は、互いに対向するように配されてフード部１３を構成する２つの壁部（上壁部１４と下壁部１５）を連結した形態である。第２コネクタ２０には、収容溝２３が形成されている。収容溝２３は、第２コネクタ２０における第２ロック部２６よりも前方の領域に配されいる。第２コネクタ２０がフード部１３に嵌入したときに、収容溝２３には補強壁１８が収容される。
【００３１】
かかる構成によれば、補強壁１８の形成範囲が第１ロック部１７よりも後方の領域なので、左右方向に関して第１ロック部１７の位置を設定する際に、補強壁１８との位置関係に起因する制約を受けることがない。つまり、第１ロック部１７と補強壁１８を、左右方向に異なる位置に配置できるのは勿論のこと、左右方向において同じ位置に配置することもできる。
【００３２】
また、収容溝２３の形成範囲は、第２コネクタ２０における第２ロック部２６よりも前方の領域なので、左右方向に関して第２ロック部２６の位置を設定する際に、収容溝２３との位置関係に起因する制約を受けることがない。つまり、第２ロック部２６と収容溝２３を、左右方向に異なる位置に配置できるのは勿論のこと、左右方向において同じ位置に配置することもできる。したがって、本実施例１のコネクタは、第１ロック部１７、補強壁１８、第２ロック部２６、収容溝２３の位置を設定する際に、設計の自由度が高い。
【００３３】
第１ロック部１７は、フード部１３に対する相対変位を規制された形態である。これに対し、第２ロック部２６は端子収容部２２に対して弾性的に相対変位可能である。この構成によれば、第１ロック部１７を、狭小な形態にして、フード部１３の開口端に近い位置に配置することが実現できた。これにより、フード部１３に対する第２コネクタ２０の嵌入方向（前後方向）において、補強壁１８の形成範囲をフード部１３の前端に近い位置まで拡張することができた。補強壁１８の前後方向の形成範囲が広いので、補強壁１８によってフード部１３を補強する機能に優れている。
【００３４】
第２コネクタ２０は、第２端子金具２８を収容する端子収容部２２と、弾性アーム部２５を有している。弾性アーム部２５は、端子収容部２２の外面から収容溝２３に沿って後方へ延出した形態であり、端子収容部２２に対して相対的に弾性変形することが可能である。弾性アーム部２５には第２ロック部２６が形成され、第２ロック部２６は弾性アーム部２５と一体的に弾性変位する。
【００３５】
この構成によれば、弾性アーム部２５が収容溝２３に沿うように配されているので、フード部１３に第２コネクタ２０を嵌入したときに、弾性アーム部２５と補強壁１８が干渉することがない。また、弾性アーム部２５を収容溝２３よりも後方に配置する場合に比べると、本実施例１の第２コネクタ２０は前後長を短くすることができる。
【００３６】
一対の弾性アーム部２５は、収容溝２３を左右両側から挟むように配されている。第２ロック部２６は一対の弾性アーム部２５を連結する形態である。この構成によれば、フード部１３に第２コネクタ２０を嵌入する過程では、一対の弾性アーム部２５が、補強壁１８により左右方向へ不正に変形しないようにガイドされる。したがって、両コネクタ１０，２０が正規嵌合したときに、第２ロック部２６を第１ロック部１７に対して確実に引っ掛けることができる。
【００３７】
［他の実施例］
本発明は、上記記述及び図面によって説明した実施例１に限定されるものではなく、特許請求の範囲によって示される。本発明には、特許請求の範囲と均等の意味及び特許請求の範囲内でのすべての変更が含まれ、下記のような実施形態も含まれることが意図される。
上記実施例１では、第１コネクタが回路基板に実装される基板用コネクタとしての機能を有するが、第１コネクタはワイヤーハーネスに接続されるコネクタであってもよい。
上記実施例１では、第１ロック部がフード部に対して相対変位不能であり、第２ロック部が端子収容部に対して弾性的に相対変位が可能となっているが、第１ロック部をフード部に対して弾性変位可能とし、第２ロック部を端子収容部に対して相対変位を規制された形態としてもよい。
上記実施例１では、弾性アーム部が端子収容部の外面前端部から後方へ延出した形態であるが、弾性アーム部は、端子収容部の外面後端部から前方へ延出した形態でもよい。
上記実施例１では、一対の弾性アーム部が収容溝を挟むように配されているが、弾性アーム部は１本だけであってもよい。
【符号の説明】
【００３８】
１０：第１コネクタ
１０Ｆ：第１コネクタの前面
１１：第１ハウジング
１２：端子保持部
１３：フード部
１４：上壁部（壁部）
１５：下壁部（壁部）
１６：側壁部（壁部）
１７：第１ロック部
１８：補強壁
１９：第１端子金具（端子金具）
１９Ｈ：ハーネス接続部
１９Ｐ：基板接続部
２０：第２コネクタ
２０Ｆ：第２コネクタの前面
２１：第２ハウジング
２２：端子収容部
２３：収容溝
２４：ロックアーム
２５：弾性アーム部
２６：第２ロック部
２７：操作部
２８：第２端子金具
【図１】
2020155369.tif 000003
【図２】
2020155369.tif 000004
【図３】
2020155369.tif 000005
【図４】
2020155369.tif 000006
【図５】
2020155369.tif 000007
【図６】
2020155369.tif 000008